(57)【要約】【課題】吸収性物品１の本体部１０の折れを助長せずに、股間との密着性を良好にする。【解決手段】吸収性物品１の本体部１０と、前記本体部１０に重ね合わせられ、液体を吸収する液体吸収部材２２を有する吸収体２０であって、前記本体部１０における長手方向の一方の端部１０ａに、接合部１０ｇによって一端部２０ａが接合され、他端部２０ｂが前記一端部２０ａを支点とする自由端として前記本体部１０の他方の端部１０ｂから分離して移動可能な吸収体２０と、を備え、前記吸収体２０及び前記本体部１０を互いに重ね合わせた状態で前記吸収性物品１を前記長手方向に折り畳むための折り位置Ｐ１，Ｐ２，Ｐ３が、少なくとも前記接合部１０ｇの前記自由端側の端１０ｒに位置していないことを特徴とする吸収性物品１。【選択図】図１８
2008246091.tif 000002
【特許請求の範囲】
【請求項１】
吸収性物品の本体部と、
前記本体部に重ね合わせられ、液体を吸収する液体吸収部材を有する吸収体であって、前記本体部における長手方向の一方の端部に、接合部によって一端部が接合され、他端部が前記一端部を支点とする自由端として前記本体部の他方の端部から分離して移動可能な吸収体と、を備え、
前記吸収体及び前記本体部を互いに重ね合わせた状態で前記吸収性物品を前記長手方向に折り畳むための折り位置が、少なくとも前記接合部の前記自由端側の端に位置していないことを特徴とする吸収性物品。
【請求項２】
請求項１に記載の吸収性物品であって、
前記折り位置が、前記接合部の前記自由端側の端から人体排泄口の対面相当位置までの範囲に位置していないことを特徴とする吸収性物品。
【請求項３】
請求項２に記載の吸収性物品であって、
前記長手方向に関して、前記接合部の前記自由端側の端から人体排泄口の対面相当位置までの範囲の外側の部分にのみ、前記折り位置が設定されることを特徴とする吸収性物品。
【請求項４】
請求項１乃至３のいずれかに記載の吸収性物品であって、
前記折り位置のうちの少なくとも一つが、前記接合部における部分であって前記自由端側の端以外の部分に設定されていることを特徴とする吸収性物品。
【請求項５】
請求項１乃至４のいずれかに記載の吸収性物品であって、
前記本体部は、前記長手方向と交差する幅方向の外側に延出形成されたウイング部を、前記幅方向の両端にそれぞれ有し、
前記本体部の前記幅方向の中心線から±４５°だけ傾斜した直線と、前記ウイング部の外形輪郭との接点のうちで、前記長手方向の最も前記一方の端部側に位置する接点と前記長手方向の最も前記他方の端部側に位置する接点とを、前記幅方向の両端についてそれぞれ求め、
求められた４つの前記接点を結んでなる四角形の四辺のうちで前記中心線を挟んで互いに対向する二辺に対してそれぞれに中点を求め、
求められた２つの前記中点同士を結んでなる線分と、前記中心線との交点の位置が、前記人体排泄口の対面相当位置に対応していることを特徴とする吸収性物品。
【請求項６】
請求項１乃至４のいずれかに記載の吸収性物品であって、
前記本体部における前記吸収体が重ね合わされる面には、前記本体部を前記重ね合わせ方向に圧縮してなる圧縮溝が、前記長手方向と交差する幅方向に対となって並んで形成されており、
前記本体部の前記幅方向の中心線に平行な直線と、前記圧縮溝との接点を、前記対となって並ぶ前記圧縮溝のそれぞれについて求め、求められた前記接点に基づいて規定される位置が、前記人体排泄口の対面相当位置に対応していることを特徴とする吸収性物品。
【請求項７】
請求項１乃至４のいずれかに記載の吸収性物品であって、
前記人体排泄口の対面相当位置において、前記本体部の外形輪郭が、前記幅方向に最も狭くなっていることを特徴とする吸収性物品。
【請求項８】
請求項１乃至４のいずれかに記載の吸収性物品であって、
前記本体部は、液体を吸収する第２の液体吸収部材を有し、
前記人体排泄口の対面相当位置において、前記第２の液体吸収部材の外形輪郭が、前記幅方向に最も狭くなっていることを特徴とする吸収性物品。
【請求項９】
請求項１乃至４のいずれかに記載の吸収性物品であって、
前記本体部には、前記人体排泄口の対面相当位置を示す目印が付設されていることを特徴とする吸収性物品。
【請求項１０】
請求項１乃至９のいずれかに記載の吸収性物品であって、
前記本体部における前記吸収体が重ね合わせられる面の反対側の面には、前記本体部を下着に付着させるための付着部が設けられていることを特徴とする吸収性物品。
【請求項１１】
請求項１乃至１０のいずれかに記載の吸収性物品であって、
前記長手方向の二カ所以上に前記折り位置が設定されることにより、前記吸収性物品は、三つ折り以上に折り畳まれることを特徴とする吸収性物品。
【請求項１２】
請求項１乃至１１のいずれかに記載の吸収性物品であって、
前記接合部において、前記吸収体は前記本体部に分離可能に接合されていることを特徴とする吸収性物品。
【発明の詳細な説明】
【技術分野】
【０００１】
本発明は、吸収性物品に関する。
【背景技術】
【０００２】
経血などの人体から排泄される液体を吸収する吸収性物品の一例として、生理用ナプキンが挙げられる。最近では生理用ナプキンの種類も増え、そのうちの１つとして、下着に配置される本体部と、前記本体部に重ね合わせられ、液体を吸収する液体吸収部材を有する吸収体とを備え、しかも、前記吸収体の長手方向の前端部のみが前記本体部の接合部に接合され、それ以外の部分は接合されずに、前記前端部を支点として前記吸収体の後端部が前後に移動可能な吸収性物品がある（特許文献１を参照）。
【特許文献１】特開２００２−１５９５３４号公報
【発明の開示】
【発明が解決しようとする課題】
【０００３】
そして、この吸収性物品の使用に際しては、先ず、前記吸収体の長手方向を人体の前後方向に揃えながら、当該本体部を下着の内面（つまり人体側の面）に配置し、しかる後に、その下着をはいた状態において、前記吸収体が臀部等の溝に入り込むように、前記吸収体の後端部を引き上げて、これにより前記吸収体を臀部等の溝に挟み込んで固定する。
【０００４】
しかしながら、上述の引き上げ操作の際には、前記接合部の後端等に前記引き上げ操作の引っ張り力が集中して作用し、この引っ張り力により、前記接合部の後端等において前記本体部が長手方向に折れ易く、折れた場合には吸収性物品と股間との密着性が悪くなる。
【０００５】
一方、個別包装の際に吸収性物品は例えば四つ折りに折り畳まれるため、当該吸収性物品の長手方向の例えば三カ所には折り位置が設定されているが、一般にこれら折り位置は、その折り癖等により曲げ剛性が低下している。よって、前記折り位置が前記接合部の後端等と一致していると、前記引き上げ操作時の本体部の折れを助長してしまうことになる。
【０００６】
本発明は、上記のような従来の問題に鑑みてなされたものであって、吸収性物品の本体部の折れを助長せずに、股間との密着性を良好にすることが可能な吸収性物品を提供することを目的とする。
【課題を解決するための手段】
【０００７】
上記目的を達成するための主たる発明は、
吸収性物品の本体部と、
前記本体部に重ね合わせられ、液体を吸収する液体吸収部材を有する吸収体であって、前記本体部における長手方向の一方の端部に、接合部によって一端部が接合され、他端部が前記一端部を支点とする自由端として前記本体部の他方の端部から分離して移動可能な吸収体と、を備え、
前記吸収体及び前記本体部を互いに重ね合わせた状態で前記吸収性物品を前記長手方向に折り畳むための折り位置が、前記接合部の前記自由端側の端と人体排泄口の対面相当位置との間に位置していないことを特徴とする吸収性物品である。
【０００８】
本発明の他の特徴については、本明細書及び添付図面の記載により明らかにする。
【発明の効果】
【０００９】
本発明によれば、吸収性物品の本体部の折れを助長せずに、股間との密着性を良好にすることが可能な吸収性物品を提供できる。
【発明を実施するための最良の形態】
【００１０】
本明細書及び添付図面の記載により、少なくとも、以下の事項が明らかとなる。
【００１１】
吸収性物品の本体部と、
前記本体部に重ね合わせられ、液体を吸収する液体吸収部材を有する吸収体であって、前記本体部における長手方向の一方の端部に、接合部によって一端部が接合され、他端部が前記一端部を支点とする自由端として前記本体部の他方の端部から分離して移動可能な吸収体と、を備え、
前記吸収体及び前記本体部を互いに重ね合わせた状態で前記吸収性物品を前記長手方向に折り畳むための折り位置が、少なくとも前記接合部の前記自由端側の端に位置していないことを特徴とする吸収性物品。  
このような吸収性物品によれば、前記吸収体の前記他端部の引き上げ操作時に生じ得る前記本体部の折れを、前記折り位置が助長させてしまうことを防ぐことができる。これは、前記本体部の折れは、特に前記接合部の前記自由端側の端に生じ易いが、この位置には前記折り位置が設定されないためである。
【００１２】
かかる吸収性物品であって、
前記折り位置が、前記接合部の前記自由端側の端から人体排泄口の対面相当位置までの範囲に位置していないのが望ましい。  
このような吸収性物品によれば、前記吸収体の前記他端部の引き上げ操作時に生じ得る前記本体部の折れを、前記折り位置が助長させてしまうことを確実に防ぐことができる。これは、前記本体部の折れは、前記接合部の前記自由端側の端と人体排泄口の対面相当位置との間の範囲に生じ易いが、この範囲に前記折り位置が設定されないためである。
【００１３】
かかる吸収性物品であって、
前記長手方向に関して、前記接合部の前記自由端側の端から人体排泄口の対面相当位置までの範囲の外側の部分にのみ、前記折り位置が設定されるのが望ましい。  
このような吸収性物品によれば、前記吸収体の前記他端部の引き上げ操作時に生じ得る前記本体部の折れを、前記折り位置が助長させてしまうことを確実に防ぐことができる。
【００１４】
かかる吸収性物品であって、
前記折り位置のうちの少なくとも一つが、前記接合部における部分であって前記自由端側の端以外の部分に設定されているのが望ましい。  
このような吸収性物品によれば、前記接合部における部分であって前記自由端側の端以外の部分には前記吸収体が接合されており、当該部分の曲げ剛性は高まっている。そして、この曲げ剛性の高い部分に前記折り位置を設定しているので、当該折り位置が前記本体部の折れを助長させてしまうことは有効に防止される。
【００１５】
かかる吸収性物品であって、
前記本体部は、前記長手方向と交差する幅方向の外側に延出形成されたウイング部を、前記幅方向の両端にそれぞれ有し、
前記本体部の前記幅方向の中心線から±４５°だけ傾斜した直線と、前記ウイング部の外形輪郭との接点のうちで、前記長手方向の最も前記一方の端部側に位置する接点と前記長手方向の最も前記他方の端部側に位置する接点とを、前記幅方向の両端についてそれぞれ求め、
求められた４つの前記接点を結んでなる四角形の四辺のうちで前記中心線を挟んで互いに対向する二辺に対してそれぞれに中点を求め、
求められた２つの前記中点同士を結んでなる線分と、前記中心線との交点の位置が、前記人体排泄口の対面相当位置に対応していても良い。
【００１６】
かかる吸収性物品であって、
前記本体部における前記吸収体が重ね合わされる面には、前記本体部を前記重ね合わせ方向に圧縮してなる圧縮溝が、前記長手方向と交差する幅方向に対となって並んで形成されており、
前記本体部の前記幅方向の中心線に平行な直線と、前記圧縮溝との接点を、前記対となって並ぶ前記圧縮溝のそれぞれについて求め、求められた前記接点に基づいて規定される位置が、前記人体排泄口の対面相当位置に対応していても良い。
【００１７】
かかる吸収性物品であって、
前記人体排泄口の対面相当位置において、前記本体部の外形輪郭が、前記幅方向に最も狭くなっていても良い。
【００１８】
かかる吸収性物品であって、
前記本体部は、液体を吸収する第２の液体吸収部材を有し、
前記人体排泄口の対面相当位置において、前記第２の液体吸収部材の外形輪郭が、前記幅方向に最も狭くなっていても良い。
【００１９】
かかる吸収性物品であって、
前記本体部には、前記人体排泄口の対面相当位置を示す目印が付設されていても良い。
【００２０】
かかる吸収性物品であって、
前記本体部における前記吸収体が重ね合わせられる面の反対側の面には、前記本体部を下着に付着させるための付着部が設けられていても良い。
【００２１】
かかる吸収性物品であって、
前記長手方向の二カ所以上に前記折り位置が設定されることにより、前記吸収性物品は、三つ折り以上に折り畳まれていても良い。
【００２２】
かかる吸収性物品であって、
前記接合部において、前記吸収体は前記本体部に分離可能に接合されていても良い。
【００２３】
＝＝＝第１実施形態＝＝＝
＜＜＜吸収性物品１について＞＞＞
この吸収性物品１は、例えば生理用ナプキンである。以下では、人体に接触する側を表面側とし、下着９０に接する側を裏面側とし、装着時に人体の前側に位置する端部を前端部とし、後側に位置する端部を後端部として説明する。また、吸収性物品１の表面又は裏面の法線方向を厚み方向とも言う。
【００２４】
図１は、展開状態の吸収性物品１の表面側の平面図であり、図２は、図１中のII−II断面図である。また、図３は吸収性物品１の斜視図であり、図４乃至図６は使用時の様子を説明するための吸収性物品１の斜視図である。
【００２５】
図１及び図２に示すように、吸収性物品１は全体として所定方向に長い形状をなしている。以下では、この所定方向を長手方向と言い、この長手方向と直交する方向を幅方向と言う。なお、前記長手方向は、装着状態において人体の前後方向と一致する。
【００２６】
図３に示すように、この吸収性物品１は、ベース吸収体１０（吸収性物品１の本体部に相当）と、ベース吸収体１０の表面に重ね合わされ、ベース吸収体１０の幅方向における中央に、長手方向に沿って配置されたトップ吸収体２０（吸収体に相当）とを備えている。
【００２７】
ここで、トップ吸収体２０は、その前端部２０ａがベース吸収体１０の前端部１０ａに接合される一方、後端部２０ｂは、前端部２０ａを支点としてベース吸収体１０から分離して移動可能な自由端になっている。よって、当該吸収性物品１の使用時には、図４に示すように、その長手方向が人体の前後方向に沿うように配しながらベース吸収体１０を下着９０の内面に付着固定し、しかる後に、下着９０をはいた状態において図５に示すようにトップ吸収体２０の後端部２０ｂを引き上げることにより、トップ吸収体２０が臀部等の溝に入り込んで図６に示す状態で人体に装着される。そして、主にトップ吸収体２０によって前記溝から排泄される液体を吸収する。
【００２８】
ちなみに、この吸収性物品１にあっては、図１に示すように、吸収性物品１の幅方向における中心線ＣＬ上であって、長手方向における中央より前側に、膣口対面想定位置Ｚ（人体排泄口の対面相当位置に相当）が位置するようになっている。すなわち、吸収性物品１にあっては、膣口対面想定位置Ｚから後側の長さの方が、同位置Ｚから前側の長さより長く形成されている。  
以下、吸収性物品１の各構成要素について詳細に説明する。
【００２９】
＜ベース吸収体１０＞
図７は、ベース吸収体１０の表面側の平面図である。図８は同裏面側の平面図である。また、図９Ａ乃至図９Ｃは、それぞれ、図７中のＡ−Ａ断面図、同Ｂ−Ｂ断面図、同Ｃ−Ｃ断面図である。なお、これらの図中ではトップ吸収体２０を透視しつつその外形線のみを仮想的に点線で示している。
【００３０】
図７に示すように、ベース吸収体１０の平面形状は、長手方向に長尺な略長方形である。但し、長手方向において上記の膣口対面想定位置Ｚを略中心とする所定範囲については、幅方向に広がっている。この広がった部分は所謂ウイング部３２，３２であり、これについては後述する。以下では、長手方向においてウイング部３２が存在する領域を中央領域Ｒｃと言い、ウイング部３２よりも前側の領域を前方領域Ｒａと言い、また後側の領域を後方領域Ｒｂと言う。
【００３１】
図７及び図９Ｂに示すように、ベース吸収体１０は、液体を吸収する吸収体基材１２と、少なくとも吸収体基材１２の表面側をその全面に亘って覆って設けられた表面シート１４と、吸収体基材１２に吸収された液体の裏面側への漏れを防止するための裏面シート３０と、幅方向の外側への液体の漏れを防ぐ防漏壁４６を形成するためのサイドシート４０と、を有している。
【００３２】
吸収体基材１２は、粉砕されたパルプ（以下、粉砕パルプと言う）を、所定の坪量分布パターンに基づき積層された粉砕パルプ積層体１２ａ（第２の液体吸収部材に相当）と、この粉砕パルプ積層体１２ａを包むティッシュペーパー等の液透過性シート（不図示）と、前記粉砕パルプ積層体１２ａの中に混入された高吸収性ポリマー（不図示）とを有しており、その外観形状は略矩形平板状である。なお、粉砕パルプ積層体１２ａに係る粉砕パルプの坪量分布パターンについては後述する（図１０を参照）。
【００３３】
表面シート１４は、例えばその形状が吸収体基材１２の平面形状よりもやや大きい目の略相似形状たる略長方形の液透過性シートである。その素材は適宜な不織布等であり、例えば、ポリエステルやポリエチレン等の合成樹脂繊維で形成されたエアースルー不織布や同スパンレース不織布等が親水化処理等されて使用される。
【００３４】
なお、この表面シート１４には、前記吸収体基材１２との間にホットメルト系接着剤が介在されつつ前記吸収体基材１２と重なった状態において、所定領域に溝付きエンボス加工が施され、これにより表面シート１４は吸収体基材１２に接合一体化されている。この溝付きエンボス加工は、互いに対向する一対の挟圧部材（不図示）によって、前記所定領域における所定部位が、加熱されつつ吸収性物品１の厚み方向に圧縮されることにより行われ、加工後の前記所定領域には、前記厚み方向に圧縮されてなる圧縮溝１５が形成される（図７、図９Ａ乃至図９Ｃを参照）。
【００３５】
ここで、前記一対の挟圧部材のうちの一方の挟圧部材は、連続するリブ状の突部を有するとともに、当該リブ状の突部の頂部には更に島状の突部が、前記リブ状の突部の連続方向に関して間欠的に設けられている。また、もう一方の挟圧部材における前記リブ状の突部と対向する面は平坦に形成されている。よって、溝付きエンボス加工で形成される圧縮溝１５は、図７に示すように、その延在方向に沿って深浅を交互に繰り返してなり、つまり、低い圧縮率で圧縮された低圧縮部１５ａと、それよりも高い圧縮率で圧縮された高圧縮部１５ｂとが圧縮溝１５の延在方向に交互に形成されてなる。
【００３６】
そして、このような圧縮溝１５が所定領域に形成されると、当該所定領域の曲げ剛性は高くなるので、この第１実施形態では、主に剛性が必要な領域を対象に選択的に圧縮溝１５が形成されており、つまり、当該圧縮溝１５は、ベース吸収体１０の曲げ剛性を部分的に高めるための剛性要素としても機能する。
【００３７】
この剛性要素としての圧縮溝１５は、例えば、図７に示すように前記中央領域Ｒｃにおける所定範囲であって、幅方向の中心線ＣＬから両側に所定量だけ離れた位置までの所定範囲に形成されている。すなわち、当該所定範囲には、長手方向に沿った複数（図示例では４〜５本）の圧縮溝１５が形成されている。そして、これらの圧縮溝１５は、当該中央領域Ｒｃにおいてベース吸収体１０を幅方向に変形し難くし、これにより、トップ吸収体２０に長手方向に沿った皺が寄り難くする役目を担う。詳しくは、この中央領域Ｒｃは人体の股間が当接するので当該股間にて幅方向に挟み込まれるが、ここで、当該中央領域Ｒｃの幅方向の曲げ剛性が小さいと、上記の股間による挟み込みに抗しきれずに前記中心線ＣＬに沿ってベース吸収体１０は折れてしまう。すると、前記中心線ＣＬで折れたベース吸収体１０はトップ吸収体２０を両脇から挟むことになるが、この挟み込みによってトップ吸収体２０には長手方向に沿った皺等が形成されてしまい、結果、トップ吸収体２０の臀部の溝との密着性が悪くなってしまう。そのため、これを防ぐべく前記中央領域Ｒｃには圧縮溝１５が形成されている。
【００３８】
また、当該中央領域Ｒｃの圧縮溝１５は、図７に示すように、その前方の前方領域Ｒａへと延長して形成されており、これにより、上記の剛性要素たる圧縮溝１５は、ベース吸収体１０においてトップ吸収体２０が接合される部分となる後述の本接合部分１０ｇ（同図中、濃色で示す矩形の部分を参照）まで延長形成されており、この領域の長手方向の曲げ剛性も高められている。
【００３９】
ちなみに、この領域の長手方向の曲げ剛性を高めている理由は、装着時に係るトップ吸収体２０の引き上げ操作の際に、前記本接合部分１０ｇの後端縁１０ｒ及びその後方の部分が長手方向に折れ返り易く（図１７Ｂを参照）、折れ返った場合には、ベース吸収体１０やトップ吸収体２０は人体の肌との間に隙間Ｇを生じ、肌との密着性が悪くなるためである。なお、この折れ返り易い理由等については後述する。
【００４０】
裏面シート３０は、例えばポリエチレンやポリプロピレン等を素材とする液不透過性シートであり、図７に示すように、その形状は、長手方向には吸収体基材１２よりも長く、幅方向には吸収体基材１２よりも広い形状である。そして、図９Ｂに示すように、裏面シート３０の表面側に、ホットメルト系接着剤（不図示）にて吸収体基材１２が接着された状態において、当該裏面シート３０は、少なくとも図７に示す前端部３０ａ及び後端部３０ｂにおいて表面シート１４と溶着等により接合され、これにより、裏面シート３０と表面シート１４との間に吸収体基材１２が保持されている。
【００４１】
なお、図８に示すように、裏面シート３０の裏面３０ｃには、吸収性物品１を下着９０の内面に配置した後にその配置位置から吸収性物品１がずれないように下着９０の内面に付着固定するための「ずれ止め用付着部３１」が設けられている。このずれ止め用付着部３１は、例えば、裏面シート３０の裏面３０ｃにおける所定範囲に塗布されたホットメルト系接着剤であり、図示例では、幅方向の左右に一対のずれ止め用付着部３１,３１が、互いに幅方向に所定間隔を隔てつつ、ベース吸収体１０の前端部１０ａから後端部１０ｂまでに亘って連続して形成されている。なお、ずれ止め用付着部３１の態様は何等これに限るものではなく、例えば、前記左右のずれ止め用付着部３１,３１の間の部分にもホットメルト系接着剤を塗布することによって、ずれ止め用付着部３１を幅方向に連続する一領域にしても良い。
【００４２】
また、上記の下着９０と吸収性物品１とのずれ止めをより強固なものにすべく、図８に示すように、裏面シート３０の幅方向の両端には、ウイング部３２，３２が幅方向の外側に延出形成されているとともに、これらウイング部３２,３２の裏面にも「ずれ止め用付着部３３」が設けられている。すなわち、これらウイング部３２の裏面にも、例えばホットメルト系接着剤が塗られている。そして、これらウイング部３２，３２は図４に示すように外側に折り返され、前記ずれ止め用付着部３３によって下着９０の外面に付着固定される。
【００４３】
サイドシート４０は、図９Ｂに示すように吸収体基材１２の幅方向の両端部の近傍位置に防漏壁４６を形成するためのものであり、図９Ｂ及び図７に示すように長手方向に沿って表面シート１４を表面側から覆って設けられている。
【００４４】
詳しくは、図７に示すように、幅方向に一対のサイドシート４０，４０が、幅方向の中心線ＣＬに関して線対称に配置されるとともに、互いの間に所定間隔を隔てつつ長手方向に沿って裏面シート３０の前端部３０ａから後端部３０ｂまで、つまり吸収性物品１の外形輪郭まで延びている。そして、図９Ｂに示すように、各サイドシート４０，４０は、それぞれに、吸収体基材１２の幅方向の両端部の近傍位置において前記表面シート１４に圧着固定されて固定部４４が形成されており、この固定部４４から幅方向の中心線ＣＬ側に延びる端部４６が自由端になっている。すなわち、この端部４６にてサイドシート４０，４０は幅方向の外側に折り返されて、当該サイドシート４０は２枚重ね状態でホットメルト系接着剤により接着されているが、この２枚重ねのシート同士の間には、糸ゴム等の弾性部材４８が伸長下の状態で長手方向に沿ってホットメルト系接着剤により間欠的に固定されている。よって、表面シート１４側が内側となるように吸収性物品１を長手方向に湾曲させると、前記弾性部材４８が長手方向に収縮し、これによって、前記端部４６が表面シート１４から起立して防漏壁４６となる。
【００４５】
なお、このサイドシート４０における、前記端部４６にて折り返されて２枚重ねになった部分よりも先の部分にあっては、図９Ｂに示すように前記固定部４４の位置で２枚重ねが解消されるが、当該固定部４４よりも更に幅方向の外側へと延出形成され、その外端縁は裏面シート３０の外形輪郭、つまり吸収性物品１の外形輪郭にまで達している。そして、当該外端縁（図７中で網掛けで示す部分を参照）は、裏面シート３０の幅方向の外端縁と長手方向に亘って熱圧着等により接合される。
【００４６】
また、図９Ａ及び図９Ｃに示すように、防漏壁たる前記端部４６の前端部及び後端部は、表面シート１４側に伏せられた状態でホットメルト系接着剤によりサイドシート４０に接合されており、もって起立しない未起立部となっている。そして、この未起立部の長手方向の位置や長さを変えることによって、これら前後の未起立部の間に存在する防漏壁４６の起立状態が調整される。
【００４７】
このようなサイドシート４０は疎水性シートからなり、その素材としては、例えば、ポリプロピレンやポリエチレン等の合成樹脂繊維で形成されたスパンボンド不織布等が使用される。
【００４８】
ちなみに、上述した表面シート１４、吸収体基材１２、裏面シート３０、及び、サイドシート４０の各シート同士の間には、それぞれに、ホットメルト系接着剤が介在されているのが望ましい。
【００４９】
図１０は、粉砕パルプ積層体１２ａに係る粉砕パルプの坪量分布図である。なお、同図中には、坪量分布を平面視だけでなく断面視でも示している。また、同図中の数値は、矢印で指し示す領域の粉砕パルプの坪量（ｇ／ｍ２）を表している。  
図１０に示すように、基本的には、粉砕パルプ積層体１２ａの全域に亘って、概ね所定の基準値の坪量（例えば２００ｇ／ｍ２）で粉砕パルプが積層されている。但し、この基準値よりも坪量の多い領域や少ない領域が部分的に存在している。
【００５０】
例えば、図１０に示すように、幅方向及び長手方向に関して膣口対面想定位置Ｚを略平面中心とする矩形領域（図中、濃色で示す領域を参照）にあっては、前記基準値よりも多い坪量（例えば５００ｇ／ｍ２）が設定されている。これは、膣口から排泄される液体を効果的に吸収させるという意味も有るが、これ以外に、この矩形領域の曲げ剛性を高める意味もある。すなわち、当該矩形領域は、前述の前方領域Ｒａ及び中央領域Ｒｃにおいて剛性要素たる圧縮溝１５が形成される領域と概ね対応している。よって、この坪量が多いことによっても、圧縮溝１５の形成領域の曲げ剛性は高められることになり、もって、圧縮溝１５の曲げ剛性を高める作用を効果的にサポートする。
【００５１】
また、この矩形領域の幅方向の両脇の部分には、当該矩形領域に隣接して、前記基準値よりも少ない坪量（例えば１００ｇ／ｍ２）の領域が存在する。これらの領域は、この幅方向の位置でベース吸収体１０が折り曲がり易くなるための折れ起点として機能する。これは、前述の中央領域Ｒｃの曲げ剛性が、幅方向の全幅に亘って一様に高いと、一般に股間の想定幅よりも広めに設定される前記中央領域Ｒｃが装着時に股間に挟まれた際に、中央領域Ｒｃの余分な幅の逃げ場が無く、もって、当該中央領域Ｒｃの全体が股間に対して斜めに傾いてしまって装着性が悪くなるからである。つまり、幅方向に一対の前記領域が折れ起点として長手方向に沿って折れることにより、股間の想定幅と前記中央領域Ｒｃとの幅寸法の差を吸収するようにしているのである。
【００５２】
更には、図１０に示すように、後方領域Ｒｂの所定範囲（図中、斜線で示す範囲を参照）にあっては、その幅方向の中央部の粉砕パルプの坪量を、前記幅方向の両脇の部分の坪量よりも少なくしている。この所定範囲は、人体の肛門及びその周辺部位に対応する領域であり、つまり、最も深く臀部等の溝に入り込み易い部分である。そのため、幅方向の中央部の坪量を少なくすることにより、前記所定範囲を幅方向の中央において表面側が山折りとなるように折れ易くし、これにより、ベース吸収体１０における前記所定範囲の部分が、人体の臀部等の溝へ入り込み易くなるようにしている。
【００５３】
＜トップ吸収体２０＞
図１１は展開状態のトップ吸収体２０の平面図である。また、図１２Ａ乃至図１２Ｄは、それぞれ、図１１中のＡ−Ａ断面図、同Ｂ−Ｂ断面図、同Ｃ−Ｃ断面図、同Ｄ−Ｄ断面図、同Ｅ−Ｅ断面図である。
【００５４】
図１１、図１２Ｂ及び図１２Ｃに示すように、トップ吸収体２０は、液体を吸収する粉砕パルプ積層体２２（液体吸収部材に相当）と、粉砕パルプ積層体２２よりも表面側に配された中間シート２３と、これら粉砕パルプ積層体２２及び中間シート２３をひとまとめに包み込み、これら粉砕パルプ積層体２２等を長手方向に長い長尺体形状に保持するための保形シート２４と、を有している。  
粉砕パルプ積層体２２は、高吸収性ポリマーが混入された粉砕パルプを、所定の坪量分布パターンに基づき積層して略直方体形状に成形したものである。なお、坪量分布パターンについては後述する（図１４を参照）。
【００５５】
中間シート２３は、保形シート２４よりも液体の引き込み性に優れた矩形の液透過性シートであり、その素材としては、例えばポリプロピレン等の合成樹脂繊維で形成されたエアースルー不織布等が使用される。この中間シート２３は、保形シート１４と重ね合わされた状態で開孔エンボス加工が施され、これにより中間シート２３は保形シート２４に接合一体化されている（図１２Ｂ乃至図１２Ｄを参照）。
【００５６】
ちなみに、開孔エンボス加工は、互いに対向する一対の加工部材（不図示）を用いて行われる。すなわち、一方の加工部材には円錐状の突部が設けられており、対向する他方の加工部材には前記突部が入り込む穴部が設けられている。そして、前記突部が形成されている加工部材は加熱されており、円錐状の突部が、互いに重ね合わされた中間シート２３と保形シート２４とを貫通して多数の孔２８（図１又は図１１を参照）が形成される際に孔縁部が熱融着されることにより中間シート２３は保形シート２４に接合一体化される。
【００５７】
保形シート２４は液透過性シートであり、その素材には、例えば前述のベース吸収体１０の表面シート１４と同素材が用いられる。この保形シート２４をシート状に平坦に展開した際の平面形状は略長方形である。そして、この展開状態の保形シート２４にホットメルト系接着剤を全面に塗布した状態で、当該保形シート２４を図１２Ｂに示すように筒体状に丸めるとともに、その幅方向の両端部２４ｅ，２４ｅを重ね合わせてホットメルト系接着剤にて接合した状態において、その筒体の内側には前記粉砕パルプ積層体２２や中間シート２３が長手方向に亘って収容される。
【００５８】
また、図１１に示す保形シート２４における長手方向の前側の部分２４ｃ及び後側の部分２４ｄは、それぞれに、図１２Ａ及び図１２Ｅに示すように粉砕パルプ積層体２２や中間シート２３が無い状態で折り畳まれるとともに、当該畳まれた部分２４ｃ、２４ｄにホットメルト系接着剤（不図示）が介在された状態でエンボス加工による圧着が施され、これにより保形シート２４の長手方向の前端部２４ｃ及び後端部２４ｄは封止されて、薄厚の平面視矩形状の封止部２５，２６となっている（図１１を参照）。
【００５９】
ちなみに、上述のエンボス加工は、互いに対向する一対の挟圧部材（不図示）によって加工対象が挟圧されることで行われる。すなわち、前記一対の挟圧部材のうちの一方の挟圧部材には突部が形成されており、他方の挟圧部材における前記突部と対向する面は平坦に形成されている。そして、ここで、前記突部の先端は平坦に形成されているため、これら一対の挟圧部材に挟み込まれた際に前記加工対象には平坦な底部を有する凹部が圧搾形成され、当該凹部がエンボスとなる。
【００６０】
このようなトップ吸収体２０は、図１に示すように、長手方向にはベース吸収体１０とほぼ同長であるが、幅方向にはベース吸収体１０よりも幅狭であって、ベース吸収体１０の表面側に、互いの幅方向の中心線ＣＬを揃えて重ね合わされている。そして、図２及び図３に示すように、このトップ吸収体２０の前端部２０ａが、ベース吸収体１０の前端部１０ａに強固に本接合され、これ以外の部分は基本的に本接合されず、これにより、トップ吸収体２０の後端部２０ｂは、前記前端部２０ａを支点として前後方向に旋回可能になっている。
【００６１】
ここで本接合というのは、トップ吸収体２０とベース吸収体１０とを故意に分離させようとすると、トップ吸収体２０とベース吸収体１０の少なくともいずれか一方の破損を伴うことが余儀なくされる程度に強固に接合された分離不能な状態を言う。この本接合の方法としては、例えば、強固な接合が可能な太い線径のホットメルト系接着剤による接着や、前述の溝付きエンボス加工などが挙げられるが、ここでは前者の接着が採用されている。
【００６２】
図１３は、この接着による本接合の状態の説明図であり、ベース吸収体１０の前端部１０ａを拡大して示している。なお、以下では、ベース吸収体１０の前端部１０ａにおける部分であって、トップ吸収体２０の前端部２０ａが本接合される部分のことを「本接合部分１０ｇ」と言う。この本接合部分１０ｇの範囲を図１３において濃色で示すが、当該本接合部分１０ｇは、ベース吸収体１０の前方領域Ｒａにおける幅方向の中央に設定されており、その平面形状は、図１１に示すトップ吸収体２０の前記前側の封止部２５と概ね同幅の略長方形である。そして、この本接合部分１０ｇの外形輪郭の内側の領域には、所定の塗布パターンで、例えば図示例では長手方向に沿う直線が幅方向に複数並んでなるパターンでホットメルト系接着剤（図中では、ＨＭＡと記す）が塗布されており、この本接合部分１０ｇにトップ吸収体２０の少なくとも前記前側の封止部２５が重ね合われて接着されることにより、図１に示すようにトップ吸収体２０の前端部２０ａがベース吸収体１０の前端部１０ａに本接合される。
【００６３】
ここで、トップ吸収体２０側の本接合の対象部分を、前側の封止部２５のみとしても良いが、この第１実施形態では、図２に示すように、当該対象部分を、前側の封止部２５だけでなくそこから後方に繋がって粉砕パルプ積層体２２が存在する部分にまで延長している。すなわち、図２に示すように、本接合部分１０ｇの長手方向の長さＬｇは、トップ吸収体２０の前側の封止部２５の長さＬａよりも長くなっている。これは、前側の封止部２５だけを本接合した場合には、当該封止部２５が薄厚なだけに剛性が小さくなり過ぎてしまう虞があって、その場合には、全体としてトップ吸収体２０が前後にふらつき易くなって扱い難くなる等の理由による。
【００６４】
ところで、図１１に示すトップ吸収体２０の後側の封止部２６については、未使用時においてベース吸収体１０に仮接合されていても良い。ここで仮接合とは、ベース吸収体１０及びトップ吸収体２０の機能を損なうことなく使用者がトップ吸収体２０をベース吸収体１０から容易に分離できる程度に弱く接合された状態を言う。この仮接合の方法としては、例えば、前述のエンボス加工などが挙げられる。
【００６５】
そして、この仮接合状態においては、後側の封止部２６は、例えば使用者が摘むことができる程度にベース吸収体１０の外形輪郭から後方に約２０ｍｍだけ突出されており（図１を参照）、つまり、この後側の封止部２６の後端の部分は、装着する際などに使用者が摘むための摘み部２６ａとして機能する。
【００６６】
また、図１１に示すように、トップ吸収体２０の裏面側には、トップ吸収体２０の後端部２０ｂをベース吸収体１０の表面シート１４の後方領域Ｒｂに係止するための係止部材２７が設けられている。詳しくは、この係止部材２７は、トップ吸収体２０の後半の部分であって後側の封止部２６よりも前方の部分に設けられている。そして、図６に示すように、この係止部材２７により、吸収性物品１の使用中におけるトップ吸収体２０の動きは規制され、当該トップ吸収体２０の位置は、装着時に調整された好適な位置に維持される。係止部材２７としては、例えばメカニカルファスナーの雄材等が使用されるが、その場合には、その係止力を高める目的でベース吸収体１０側にメカニカルファスナーの雌材を設けても良い。なお、係止部材２７の設置位置を上記以外にしても良く、例えば係止部材２７を後側の封止部２６に設けて装着時に下着９０に係止するようにしても良い。また、装着状態のトップ吸収体２０は臀部等の溝に挟み込まれているので、上記の係止部材２７は無くても人体に固定され得る。よって、上記の係止部材２７は必須構成ではなく省略しても良い。
【００６７】
更には、図１１及び図１２Ｄに示すように、トップ吸収体２０の後端部２０ｂであって少なくとも粉砕パルプ積層体２２が存在する部分には、粉砕パルプ積層体２２を裏面側から覆って防漏シート５１が設けられている。この防漏シート５１は液不透過性シートであり、粉砕パルプ積層体２２が吸収した液体がトップ吸収体２０の外面に染み出すのを防ぐ機能を有する。つまり、吸収性物品１の使用時においては、図６に示すようにトップ吸収体２０の後端部２０ｂがベース吸収体１０の後端縁１０ｅよりも後方へ飛び出す場合があり得て、その場合にトップ吸収体２０の後端部２０ｂの外面に液体が染み出していると、トップ吸収体２０の後端部２０ｂが下着９０と接触した際に下着９０を汚してしまうので、上述の防漏シート５１によって後端部２０ｂの裏面側の外面への染み出しを防いでいるのである。この防漏シート５１の素材としては、液体を完全に遮断できるポリエチレンやポリプロピレン等の無孔フィルムが望ましいが、完全に遮断できなくても良く、例えば撥水性繊維からなる不織布等でも良い。
【００６８】
図１４は、粉砕パルプ積層体２２に係る粉砕パルプの坪量分布図である。なお、同図中には、坪量分布を平面視だけでなく断面視でも示している。また、同図中の数値は、矢印で指し示す領域の粉砕パルプの坪量（ｇ／ｍ２）を表している。  
図１４に示すように、基本的には、前述の前側の封止部２５及び後側の封止部２６以外の部分には、長手方向及び幅方向の全域に亘り、ほぼ基準値の坪量（例えば５００ｇ／ｍ２）で粉砕パルプが積層されている。但し、この基準値よりも坪量を少なくしている領域が部分的に存在している。
【００６９】
例えば、図１４に平面視で示すように、長手方向の三カ所Ｐ１,Ｐ２，Ｐ３には、各々長手方向の前後に隣り合う部分よりも粉砕パルプの坪量を幅方向に亘って少なくした部分が存在している。これらの部分は、後述する個別包装時に吸収性物品１を四つ折りし易くするためのものである。つまり、これらの部分の長手方向の位置Ｐ１,Ｐ２，Ｐ３は、それぞれ、個別包装時の折り位置に対応している。以下では、後端部側の折り位置Ｐ１を第１折り位置Ｐ１と言い、前端部側の折り位置Ｐ３を第３折り位置Ｐ３と言い、これらの間の中央側の折り位置Ｐ２を第２折り位置Ｐ２と言う。
【００７０】
また、図１４に示すように、長手方向におけるトップ吸収体２０の所定範囲（図中、斜線で示す範囲を参照）にあっては、その幅方向の中央部の粉砕パルプの坪量を、前記幅方向の両脇の部分の坪量よりも少なくしている。この所定範囲は、人体の会陰部から肛門までの部分に対応する領域であり、つまり、トップ吸収体２０のなかでより深く臀部等の溝に入り込む部分である。そのため、幅方向の中央部の坪量を低くすることにより、トップ吸収体２０を幅方向の中央において表面側が山折りとなるように折れ易くし、これにより、トップ吸収体２０における前記所定範囲の部分が、人体の臀部等の溝へ速やかに入り込むようにしている。ちなみに、同図中に点線で仮想的に前述の係止部材２７を示しているが、その設置位置は前記所定範囲よりも後方に位置している。よって、当該所定範囲が山折り状に折れても、係止部材２７は山折り状に折れ難く、もって係止部材２７はほぼ平坦な状態を維持できて、面接触状態でベース吸収体１０に確実に係止される。
【００７１】
＜＜＜吸収性物品１の個別包装＞＞＞
図１５Ａ乃至図１５Ｄは、吸収性物品１が個別包装される様子の説明図である。  
個別包装の際には、先ず、図１５Ａに示すように吸収性物品１の両側のウイング部３２,３２が開いた状態で、図１５Ｂに示すように、それぞれに裏面側から、ずれ止め用付着部３３，３３の粘着力を保護するための保護シート３５,３５がウイング部３２，３２を覆って設けられる。そして、この覆われた状態で、これらウイング部３２，３２はそれぞれに、図１５Ｃに示すように表面側へ折り曲げられるが、その際には、一方の保護シート３５に予め塗布されていた接着剤３５ａにより、これら二枚の保護シート３５,３５は幅方向の中央の重ね合わせられた部分にて連結一体化される。
【００７２】
ちなみに、これら保護シート３５，３５は、上述のずれ止め用付着部３３の粘着力を保護する役目以外に、ウイング部３２の裏面にずれ止め用付着部３３を形成するという役目も担っている。すなわち、これら保護シート３５，３５には、ウイング部３２，３２に設けられる以前に予め剥離剤及びホットメルト系接着剤が塗布されている。そして、上述のように保護シート３５，３５でウイング部３２，３２を覆った後に、例えば使用者が吸収性物品１を使用すべくウイング部３２，３２から保護シート３５，３５を剥がすと、前記剥離剤の作用によって当該ウイング部３２，３２の方に前記ホットメルト系接着剤が移着して残り、もってウイング部３２，３２にずれ止め用付着部３３，３３が形成されるようになっている。
【００７３】
このような役目の保護シートは、別途、裏面シート３０の裏面３０ｃにも設けられる。すなわち、前述したように、ずれ止め用付着部３１,３１は裏面シート３０の裏面３０ｃにも形成されるので、図８に二点鎖線で仮想的に示すように保護シート３４が裏面シート３０の裏面３０ｃを覆って設けられる。
【００７４】
そして、このようにして吸収性物品１に対して保護シート３４，３５を設け終わったら、吸収性物品１は、図１５Ｄに示すように、その裏面側に配置された略長方形状の包装シート３６と共に、長手方向の３カ所Ｐ１,Ｐ２，Ｐ３にて折り曲げられて四つ折りに折り畳まれる。
【００７５】
図１６Ａ乃至図１６Ｄは、この吸収性物品１が四つ折りに折り畳まれる様子を示す平面図である。図１６Ａには、折り畳まれる前の吸収性物品１を示しており、図１６Ｂには、吸収性物品１の後端部側に設定された第１折り位置Ｐ１にて吸収性物品１が折り曲げられる様子を示している。また、図１６Ｃには、吸収性物品１の中央側に設定された第２折り位置Ｐ２にて吸収性物品１が折り曲げられる様子を示しており、図１６Ｄには、吸収性物品１の前端部側に設定された第３折り位置Ｐ３にて吸収性物品１が折り曲げられる様子を示している。
【００７６】
図１６Ｂに示すように、先ず始めに、後端部側の第１折り位置Ｐ１にて、後端部側の部分が表面側に曲げ起こされて、当該後端部側の部分は吸収性物品１の表面側に重ね合わせられ２段重ねになる。次に、図１６Ｃに示すように、中央部側の第２折り位置Ｐ２にて、上記の２段重ねの部分が更に表面側に曲げ起こされて、これにより当該２段重ねの部分は、吸収性物品１の表面側に重ね合わされて３段重ねになる。そうしたら、図１６Ｄに示すように、前端部側の第３折り位置Ｐ３にて、前端部側の部分が曲げ起こされて、当該前端部側の部分は、上述の３段重ねの部分に重ね合わせられて４段重ねになる。そして、当該４段重ね、すなわち四つ折りの状態において、包装シート３６の前端のリードテープ３８が、前記３段重ねの部分の外面に貼り付けられ、吸収性物品１は四つ折り状態に固定される。
【００７７】
そうしたら、最後に、包装シート３６は、図１６Ｄに示すように、その長手方向に沿う外端縁３６ｃが接着封止されて袋状となり、これをもって吸収性物品１は個別包装された状態となる。
【００７８】
＜＜＜人体への吸収性物品１の装着＞＞＞
上述の個別包装の状態で使用者の手に渡った吸収性物品１は、使用者がリードテープ３８を剥がすことにより包装シート３６が開封され、それに伴って、保護シート３４及び保護シート３５が剥がされて裏面シート３０の裏面３０ｃのずれ止め用付着部３１及びウイング部３２の裏面のずれ止め用付着部３３が露呈される。
【００７９】
そうしたら、吸収性物品１は、図４に示すように下着９０の内面に配置されて前記ずれ止め用付着部３１により下着９０の内面に付着固定されるととともに、ウイング部３２は下着９０側に折り返されて、そのずれ止め用付着部３３により下着９０の外面に付着固定される。
【００８０】
このようにして吸収性物品１が下着９０に付着固定されたら、当該下着９０は人体側に引き上げられて、つまり使用者に、はかれた状態となる。そうしたら、図５に示すように、使用者によりトップ吸収体２０の摘み部２６ａが摘まれてトップ吸収体２０が引き上げられ、これにより、ベース吸収体１０とトップ吸収体２０との仮接合が解除されてベース吸収体１０からトップ吸収体２０の後端部２０ｂが分離する。
【００８１】
その後、使用者が摘み部２６ａを長手方向の後方に引き上げることにより、トップ吸収体２０が人体の臀部等の溝に入り込んで密着するようにトップ吸収体２０の位置調整がなされる。そして、トップ吸収体２０が位置調整された状態で、図６に示すように、トップ吸収体２０の係止部材２７がベース吸収体１０若しくは下着９０内面に係止固定され、これにより、人体に好適に当接された状態でトップ吸収体２０が位置決めされる。
【００８２】
＜＜＜吸収性物品１の装着時の問題点＞＞＞
図１７Ａ及び図１７Ｂは、吸収性物品１の装着時の問題点を説明するための概略図である。両図とも、吸収性物品１の人体への装着状態を、人体中心（股間）の縦断面視で示している。
【００８３】
上述したように、この吸収性物品１を人体に装着する際には、トップ吸収体２０の後端部２０ｂを後方へ引き上げてその位置調整を行う（図１７Ａを参照）。この時、トップ吸収体２０には引っ張り力Ｆｔが作用し、この引っ張り力Ｆｔは、前記本接合部分１０ｇを介してベース吸収体１０に伝達されるが、前記本接合部分１０ｇのなかでも特にその後端縁１０ｒに集中して作用する（図２も参照）。よって、ベース吸収体１０は、この後端縁１０ｒ及びそこよりも後方において、図１７Ｂに示すように断面視Ｚ字状に折れ返り易い。詳しくは、先ず前記後端縁１０ｒがＶ字状に折れ（以下では、これを「一次折れ」と言う）、更にこれに誘発されてその後方の部分がＶ字状に折れなどして（以下では、これを「二次折れ」と言う）、その結果、図１７Ｂに示すようにＺ字状に折れ返る。そして、このように折れ返ると、ベース吸収体１０と股間との間に隙間Ｇが形成されてしまい、股間に対するベース吸収体１０やトップ吸収体２０の密着性が損なわれて好ましくない。
【００８４】
ところで、吸収性物品１の個別包装の際には、例えば図１６Ａ乃至図１６Ｄに示すように四つ折りに折り畳まれるが、折り畳む際には、その折り位置Ｐ１，Ｐ２，Ｐ３の粉砕パルプが前後に寄るなどして、当該折り位置Ｐ１，Ｐ２，Ｐ３の曲げ剛性が低下する虞があり、つまり折れに関して弱くなる。
【００８５】
よって、上述の一次折れが生じ得る前記後端縁１０ｒに、前記折り位置Ｐ１，Ｐ２，Ｐ３が設定されると、当該折り位置Ｐ１，Ｐ２，Ｐ３の折れ線が前記一次折れを助長させてしまい、その結果、前記Ｚ字状の折れ返りが生じ易くなり、このことは、股間への密着性の観点からは好ましくない。
【００８６】
そこで、この第１実施形態では、少なくとも前記本接合部分１０ｇの後端縁１０ｒには、個別包装のための折り位置Ｐ１，Ｐ２，Ｐ３を設定しないようにしている。
【００８７】
＜＜＜吸収性物品１の個別包装の折り位置Ｐ１，Ｐ２，Ｐ３＞＞＞
図１８は、個別包装の折り位置Ｐ１，Ｐ２，Ｐ３を説明するための吸収性物品１の平面図である。この第１実施形態の吸収性物品１は個別包装時に四つ折りされるので、図１８に示すように長手方向の三カ所に折り位置Ｐ１，Ｐ２，Ｐ３が設定されている。
【００８８】
なお、これらの折り位置Ｐ１，Ｐ２，Ｐ３を決めるに当たっては、折り畳んだ際に内側に来る部分よりも外側に来る部分の方が長手方向の長さが長くなるようにする。そうしないと、綺麗に折り畳めないからである。また、この第１実施形態では、後端部側の第１折り位置Ｐ１で最初に折り曲げ、順次、これよりも前端部側の第２折り位置Ｐ２及び第３折り位置Ｐ３にて折り曲げていくので、折り畳んだ際には後端部側が内側に来る部分となり、前端部側が外側に来る部分となる。
【００８９】
よって、これらを考慮すると、これら折り位置Ｐ１，Ｐ２，Ｐ３は、以下の条件に基づいて決定される。すなわち、図１８に示すように、吸収性物品１の後端から第１折り位置Ｐ１までの間隔をＬ１とし、第１折り位置Ｐ１から第２折り位置Ｐ２までの間隔をＬ２とし、第２折り位置Ｐ２から第３折り位置Ｐ３までの間隔をＬ３とした場合には、下式１の関係を満足するように、第１乃至第３折り位置Ｐ１，Ｐ２，Ｐ３は決められる。  
Ｌ１＜Ｌ２＜Ｌ３      …    式１
そして、図１８を参照して明らかなように、この第１実施形態の場合にあっては、この折り畳み優先で決めた折り位置Ｐ１，Ｐ２，Ｐ３の何れも、本接合部分１０ｇの後端縁１０ｒには位置していない。よって、装着時におけるベース吸収体１０のＺ字状の折れ返りの元となる前記一次折れを助長することはない。
【００９０】
なお、望ましくは、前記折り位置Ｐ１，Ｐ２，Ｐ３の折れ線が、上述の一次折れに誘発されて生じる前記二次折れも助長しないようにすると良い。この二次折れは、図１７Ｂに示すように、股間の前後方向に関する最低部位Ｍよりも前側に対応する範囲Ａａで生じ易く、後側に対応する範囲Ａｂでは生じ難い傾向がある。すなわち、前記二次折れは、前記本接合部分１０ｇの後端縁１０ｒから股間の最低部位Ｍまでの範囲Ａａで生じ易い傾向があるが、これは、次のように考えられる。
【００９１】
図１７Ａに示すように、前側に対応する範囲Ａａでは、前記引っ張り力Ｆｔに起因して、ベース吸収体１０には下向き（白矢印を参照）に押す内力が生じる。しかし、この範囲Ａａには、下着９０以外に前記下向きの内力に対抗するものが無く、もって、当該内力に抗しきれずに下方向に折れてしまう結果、下方にＶ字状に二次折れし易い。これに対して、後側に対応する範囲Ａｂでは、上向き（白矢印を参照）に押す内力が生じるとともに、ベース吸収体１０の上方には人体が在るので、前記内力は人体に受けられてベース吸収体１０は上方向に折れ難く、よって前記二次折れが起こり難いのである。
【００９２】
そして、一般的に、股間の前後方向に関する最低部位Ｍには、概ね膣口が位置しているので、上記の「本接合部分１０ｇの後端縁１０ｒから股間の最低部位Ｍまでの範囲Ａａで、二次折れし易い」という傾向は、「本接合部分１０ｇの後端縁１０ｒから膣口対面想定位置Ｚまでの範囲Ａａで、二次折れし易い」と言い換えることができる。
【００９３】
よって、望ましくは、ベース吸収体１０の上記範囲Ａａにも、個別包装のための折り位置Ｐ１，Ｐ２，Ｐ３を設定しないようにすると良い。つまり、長手方向に関して上記範囲Ａａの外側に前記折り位置Ｐ１，Ｐ２，Ｐ３を設定すると良い。そして、この第１実施形態では、図１８を参照して明らかなように、前記折り位置Ｐ１，Ｐ２，Ｐ３の何れも、上記範囲Ａａに入っていない。よって、装着時におけるベース吸収体１０のＺ字状の折れ返りの元となる前記二次折れも助長することはなく、結果、Ｚ字状の折れ返りを確実に抑制可能となる。
【００９４】
ちなみに、この第１実施形態では、第３折り位置Ｐ３が本接合部分１０ｇに掛かっているが、この本接合部分１０ｇにはトップ吸収体２０の前端部２０ａが本接合されているので、その曲げ剛性は高く、もって、第３折り位置Ｐ３が設定されても、上述のＺ字状の折れ返りのきっかけにはなり得ない。
【００９５】
ところで、このように折り畳み優先で折り位置Ｐ１，Ｐ２，Ｐ３を決めると、場合によっては、折り位置Ｐ１，Ｐ２，Ｐ３の何れかが、上記範囲Ａａに入ってしまうことがあり得る。そして、そのような場合には、折り位置Ｐ１，Ｐ２，Ｐ３が上記範囲Ａａに入らないような折り畳み方を再検討することになるが、再検討せずに、以下に示すような折り位置Ｐ１，Ｐ２，Ｐ３を変更しない方法で対処しても良い。
【００９６】
図１９Ａ及び図１９Ｂは、第１実施形態の吸収性物品１を三つ折りにした場合の折り位置Ｐ１，Ｐ２の説明図である。上述の四つ折りの場合には、図１８に示すように何れの折り位置Ｐ１，Ｐ２，Ｐ３も上記範囲Ａａに入らなかったが、図１９Ａに示すように、折り畳み優先で三つ折り用の折り位置Ｐ１，Ｐ２を決めた場合には、第２折り位置Ｐ２が上記範囲Ａａに入ってしまっている。
【００９７】
このような場合には、本接合部分１０ｇの後端縁１０ｒの長手方向の位置を変えることにより、上記範囲Ａａを狭くして、第２折り位置Ｐ２が当該範囲Ａａに入らないようにすると良い。すなわち、本接合部分１０ｇの長手方向の長さＬｇを図１９Ｂに示すように長くすることによって、その後端縁１０ｒを、第２折り位置Ｐ２よりも後方へずらす。そうすれば、第２折り位置Ｐ２を上記範囲Ａａの外側に外すことができる。
【００９８】
ここで、上記範囲Ａａを画定する一方の境界であるところの「膣口対面想定位置Ｚ」の定義について説明する。  
この膣口対面想定位置Ｚは、ベース吸収体１０の種々の形状的特徴等に基づいて、使用者に視覚的に認知されるようになっている。例えば、ウイング部３２を備えている場合には、ウイング部３２の位置によって上記膣口対面想定位置Ｚが示されている。また、ウイング部３２を備えていない場合には、ベース吸収体１０が具備する別の形状的特徴等により、この膣口対面想定位置Ｚが示されている。
【００９９】
以下、この膣口対面想定位置Ｚを視覚的に認知させる方法について説明する。  
図２０は、ウイング部３２を備えたベース吸収体１０の平面図である。このベース吸収体１０は、第１実施形態とほぼ同じであり、幅方向の両端にはウイング部３２，３２が、ベース吸収体１０の幅方向の中心線ＣＬに関して線対称に配置されている。そして、基本的には、前記長手方向に関するウイング部３２の中心位置が、前記膣口対面想定位置Ｚに対応している。
【０１００】
但し、正確には、この膣口対面想定位置Ｚは、次のような作図的手法により規定される。先ず、ベース吸収体１０の幅方向の中心線ＣＬを基準線ＣＬとする。そして、この基準線ＣＬに対して±４５°だけ傾斜した直線と、外側へ向けて突出したウイング部３２の外形輪郭との接点Ｑを求め、これら求められた接点Ｑの中で最も長手方向の両端に位置する接点Ｑを、前端側及び後端側でそれぞれ一つずつ求める。これを、幅方向の両側のウイング部３２,３２についてそれぞれ行い、合計４つの接点Ｑ，Ｑ，Ｑ，Ｑを求める。次に、これら４つの接点Ｑ，Ｑ，Ｑ，Ｑを結んでなる四角形ＱＱＱＱの四辺ＱＱ，ＱＱ，ＱＱ，ＱＱのうちで、前記中心線ＣＬを挟んで互いに対向する二辺ＱＱ，ＱＱについて各辺ＱＱの中点Ｒ，Ｒを求める。そして、求められた中点Ｒ，Ｒ同士を結んでなる線分ＲＲと前記基準線ＣＬとの交点が、上記の膣口対面想定位置Ｚである。
【０１０１】
なお、図２１及び図２２に示すように、長手方向に複数のウイング部３２が並んで形成されている場合にも、上記の作図的手法は適用可能であるし、更には、図２３に示すように、ウイング部３２が非対称に配置されている場合にも（つまり、前記中心線ＣＬに関して線対称ではないが、前記中心線ＣＬ上の一点に関して点対称の場合など）、上記の作図的手法が適用可能であるのは言うまでもない。
【０１０２】
図２４乃至図２６は、ウイング部３２を備えないベース吸収体１０の平面図である。そして、これらの図示例では、ベース吸収体１０の表面シート１４に形成された圧縮溝１５の平面形状によって、膣口対面想定位置Ｚが視覚的に示されている。
【０１０３】
例えば、図２４乃至図２６の何れの例も、一対の圧縮溝１５，１５が、ベース吸収体１０の幅方向の中心線ＣＬに関して線対称に並んで形成されている。そして、これら圧縮溝１５,１５の形状に基づいて、以下に示す作図的手法により、膣口対面想定位置Ｚが規定される。ちなみに、これらの図示例では、幅方向の片側には１本の圧縮溝１５しか形成されていないが、圧縮溝１５が複数本形成されている場合（例えば、幅方向の内側と外側との二重に圧縮溝１５，１５が形成されている場合など）には、前記複数本のうちで最も幅方向の内側（中心線ＣＬ側）に位置する圧縮溝１５を、以下の作図的手法で着目される圧縮溝１５とする。
【０１０４】
この作図的手法にあっては、先ず、図２４に示すように、前記中心線ＣＬに平行な直線と前記圧縮溝１５との接点Ｓを、一対の圧縮溝１５，１５のそれぞれについて求める。
【０１０５】
次に、求められた接点Ｓが、ベース吸収体１０の前端から三分の二の領域Ａｃにおいて、圧縮溝１５毎に（幅方向の片側につき）一点しか存在しないかチェックする。ここで、一点しか存在しない場合には、圧縮溝１５毎に一つずつ存在する前記接点Ｓ，Ｓ同士を幅方向に結んで線分ＳＳを形成すれば、当該線分ＳＳと前記中心線ＣＬとの交点の位置が膣口対面想定位置Ｚである。
【０１０６】
一方、前記求められた接点Ｓが、図２５に示すように、ベース吸収体１０の前端から三分の二の領域において、圧縮溝１５毎に二点以上存在する場合には、これらの接点Ｓ，Ｓ，Ｓの中から、幅方向の内側に凸形状の部分の接点Ｔ（Ｓ）に注目する。そして、注目した接点Ｔが、ベース吸収体１０の前端から三分の二の領域Ａｃにおいて圧縮溝１５毎に（幅方向の片側につき）一点しか存在しないかチェックする。ここで、一点しか存在しない場合には、圧縮溝１５毎に一つずつ存在する前記接点Ｔ,Ｔ同士を幅方向に結んで線分ＴＴを形成すれば、当該線分ＴＴと前記中心線ＣＬとの交点の位置が膣口対面想定位置Ｚである。
【０１０７】
他方、前記注目した接点Ｔが、図２６に示すように、ベース吸収体１０の前端から三分の二の領域Ａｃにおいて圧縮溝１５毎に二点以上存在する場合には、先ず、これらの接点Ｔ，Ｔの中から、最も前端側の接点Ｔと、最も後端側の接点Ｔとを選択する。そして、この選択を、幅方向の両側で（つまり圧縮溝１５毎に）それぞれに行い、その結果、合計４つの接点Ｔ，Ｔ，Ｔ，Ｔを求める。次に、これら４つの接点Ｔ，Ｔ，Ｔ，Ｔを結んでなる四角形ＴＴＴＴの四辺ＴＴ，ＴＴ，ＴＴ，ＴＴのうちで、前記中心線ＣＬを挟んで互いに対向する二辺ＴＴ，ＴＴについて各辺ＴＴの中点Ｒ，Ｒを求める。そして、求められた中点Ｒ，Ｒ同士を結んでなる線分ＲＲと前記基準線ＣＬとの交点が、上記の膣口対面想定位置Ｚである。
【０１０８】
図２７Ａ及び図２７Ｂは、ウイング部３２を備えないベース吸収体１０の別の例の平面図である。図２７Ａの例では、ベース吸収体１０の外形輪郭によって膣口対面想定位置Ｚが視覚的に示されている。例えば、ベース吸収体１０の外形輪郭をなす裏面シート３０の平面形状は、長手方向の所定位置において幅方向に狭くなった括れ部を有しており、この最も幅方向に狭い位置Ｕが膣口対面想定位置Ｚに対応している。
【０１０９】
一方、図２７Ｂの例では、粉砕パルプ積層体１２ａの外形輪郭によって、膣口対面想定位置Ｚが視覚的に示されている。例えば、粉砕パルプ積層体１２ａの平面形状は、長手方向の所定位置において幅方向に狭くなった括れ部を有しており、この最も幅方向に狭い位置Ｕが膣口対面想定位置Ｚに対応している。
【０１１０】
図２８Ａ及び図２８Ｂも、ウイング部３２を備えないベース吸収体１０の平面図である。但し、この例にあっては、ベース吸収体１０や粉砕パルプ積層体１２ａの外形輪郭にも形状的特徴が無く、よって、その代わりに、ベース吸収体１０に対して目印が付設されており、これにより、膣口対面想定位置Ｚが視覚的に示されている。例えば、図２８Ａの場合には、膣口対面想定位置Ｚを中心とする所定範囲Ａｄが長円状に着色されており、また、図２８Ｂの場合には、膣口対面想定位置Ｚを幅方向の両側から挟む位置に、エンボス加工にて矢印形状の圧縮凹部６１，６１が形成されている。
【０１１１】
ちなみに、例えば、ウイング部３２と圧縮溝１５とを有する吸収性物品１に対して上述の作図的手法を行った際に、ウイング部３２に基づく作図的手法と、圧縮溝１５に基づく作図的手法とで、互いに異なる位置の膣口対面想定位置Ｚ１，Ｚ２が得られた場合には、ウイング部３２に基づいて得られた膣口対面想定位置Ｚ１を優先し、つまり、当該Ｚ１が真性の膣口対面想定位置Ｚとなる。これは、ウイング部３２は下着９０に巻き込んで使用されるため、当該ウイング部３２の位置が、下着９０との相対配置に関して最も確実な基準たり得るからである。
【０１１２】
＝＝＝第２実施形態＝＝＝
図２９乃至図３１に、第２実施形態の吸収性物品１の説明図を示す。図２９は同吸収性物品１の斜視図である。また、図３０は同ベース吸収体１０の表面側の平面図であり、図３１は同トップ吸収体２０の表面側の平面図である。なお、図３０については、トップ吸収体２０の外形線を仮想的に点線で示している。
【０１１３】
第１実施形態では、トップ吸収体２０とベース吸収体１０とは、本接合部分１０ｇにおいて分離不可能に本接合されていたが、この第２実施形態では、図２９に示すように、本接合部分１０ｇに相当する部分（以下、接合部分１０ｋと言う）において分離可能な点で相違する。
【０１１４】
つまり、図２９乃至図３１に示すように、この接合部分１０ｋの平面サイズやベース吸収体１０における位置などは、前述の第１実施形態の本接合部分１０ｇと同じであるが、この接合部分１０ｋにはメカニカルファスナーの雌材６５が固定される一方、トップ吸収体２０の前端部２０ａ（前側の封止部２５及びその後側の近傍部分）の裏面側には、前記雌材６５に対応させてメカニカルファスナーの雄材６３が固定されており、これによって、接合部分１０ｋにおいてトップ吸収体２０とベース吸収体１０とは着脱可能になっている。
【０１１５】
メカニカルファスナーの雄材６３は、例えば、鉤状の突起が一面についた矩形のシート材であり、より好ましくは、前記突起の形状がキノコ型であると良い。これは、キノコ型であれば係止の方向性が無くなって任意の方向に対して均等に高い係止力を発揮し得るからである。そして、その結果として、トップ吸収体２０をベース吸収体１０に接合してから下着９０を引き上げる過程において仮にトップ吸収体２０が多少前後左右に振られたとしても、ベース吸収体１０から脱落し難くなる。
【０１１６】
一方、メカニカルファスナーの雌材６５は、例えば、前記雄材６３の突起が引っかかるような多数のループが一面に形成された矩形のシート材である。但し、この雌材６５は必須構成ではない。その理由は、ベース吸収体１０の表面シート１４は不織布で形成されているので、当該不織布との間でも、トップ吸収体２０の前記雄材６３は、ある程度の係止力を期待できるからである。しかし、通常、表面シート１４用の不織布としては、肌触り性の観点から風合いの良い不織布が用いられるケースが多く、その場合には不織布の構成繊維の交絡強度が弱くなって充分な接合強度を確保できない虞がある。よって、望ましくは、上述の第２実施形態のように、ベース吸収体１０の接合部分１０ｋに前記雌材６５を固定するのが良い。
【０１１７】
また、前記接合部分１０ｋが視覚的に明確になるように、前記雌材６５には、表面シート１４と色調の異なるものを用いると良く、そうすれば、トップ吸収体２０とベース吸収体１０とを接合する際に、接合位置がずれてしまい十分な接合強度を確保できないという事態を防ぐことができる。
【０１１８】
なお、この第２実施形態では、ベース吸収体１０側に雌材６５を設け、トップ吸収体２０側に雄材６３を設けているが、逆にしても良い。
【０１１９】
更には、メカニカルファスナー６５，６３を用いずに、前記接合部分１０ｋ及び前記前端部２０ａの少なくとも一方に粘着剤を塗布するとともに、この粘着剤の塗布領域を、剥離剤でコーティングされた剥離紙で覆っておき、吸収性物品１の使用前に使用者が剥離紙を剥がして粘着剤を露出させてから、接合するようにしても良い。
【０１２０】
ところで、このような分離可能な構成にあっては、ベース吸収体１０とトップ吸収体２０との接合作業を、吸収性物品１の使用者に行わせても良く、その場合、使用者に提供される際の包装形態としては、次のような二種類の包装形態を例示できる。
【０１２１】
第１の包装形態は、図１６Ａ乃至図１６Ｄの第１実施形態とほぼ同じである。すなわち、トップ吸収体２０をベース吸収体１０に重ね合わせた状態で四つ折りに折り畳みつつ、一枚の包装シート３６にて一緒に包装するものである。但し、上記の包装時点においては、ベース吸収体１０とトップ吸収体２０とは、前記接合部分１０ｋにて接合されていても良いし、接合されていなくても良い。そして、このようにトップ吸収体２０とベース吸収体１０とが一緒に包装されてなる包装体は、所定数にまとめられて一つの袋に収容され、当該袋を販売の最小単位として市場に供給される。
【０１２２】
これに対して、第２の包装形態は、図３０及び図３１に示すように、ベース吸収体１０とトップ吸収体２０とを別々に包装する態様である。すなわち、図３０に示すように、ベース吸収体１０については、それのみが包装シート３６上に載置された状態で、この包装シート３６と共にベース吸収体１０が所定の折り位置Ｐ１，Ｐ２，Ｐ３にて四つ折りに折り畳まれ、その状態において包装シート３６の幅方向の外端縁が長手方向に沿って接着封止されて袋状になって、その内部にベース吸収体１０が収容されて包装される。他方、図３１に示すように、トップ吸収体２０の方も、それのみが、上記とは別の包装シート３７上に載置された状態で、この包装シート３７と共にトップ吸収体２０が所定の折り位置Ｐ１，Ｐ２，Ｐ３にて四つ折りに折り畳まれ、その状態において包装シート３７の幅方向の外端縁が長手方向に沿って接着封止されて袋状になって、その内部にトップ吸収体２０が収容されて包装される。ちなみに、上記の折り位置Ｐ１，Ｐ２，Ｐ３は、第１実施形態の折り位置Ｐ１，Ｐ２，Ｐ３と同じであり、つまり、トップ吸収体２０については各折り位置Ｐ１，Ｐ２，Ｐ３の粉砕パルプの坪量が周りの部分よりも少なくなっていて折り曲げ易くなっている（図１４を参照）。
【０１２３】
そして、このように包装されてなるベース吸収体１０の包装体、及び、同トップ吸収体２０の包装体は、それぞれ所定数にまとめられるとともに別々の袋に収容されて二つの収容体が生成され、更に、これら二つの収容体が一つの袋に一緒に収容されて、当該袋を販売の最小単位として市場に供給される。
【０１２４】
但し、販売の最小単位は、これに限るものではなく、例えば、前記収容体を販売の最小単位としてトップ吸収体２０とベース吸収体１０とを別々に販売しても良い。ちなみに、このように別々に販売した場合には、次のような長所がある。すなわち、吸収性物品を昼用及び夜用というように別々に買い置きしておかずに済み、吸収性物品の住宅在庫を削減できる。詳しくは次のとおりである。経血の少ない昼用の吸収性物品としてはベース吸収体１０のみを使用する一方、経血の多い夜用として使用する際には、ベース吸収体１０にトップ吸収体２０を接合して使用する。つまり昼用の吸収性物品を夜用に変形して用いることができて、これにより住宅在庫を削減できる。また、所定時間だけ使用してトップ吸収体２０が充分に経血を吸収した際に、ベース吸収体１０は交換せずにトップ吸収体２０のみを交換することも可能であり、そうすれば、ベース吸収体１０の交換頻度が低くなる分、ゴミを削減できる。
【０１２５】
ところで、図３１に示した第２の包装形態にて使用されるトップ吸収体２０用の包装シート３７の素材としては、例えば、ＳＭＳ不織布（上下のスパンボンド不織布でメルトブローン不織布を挟んだ三層構造の不織布）等の不織布が好ましい。これは、不織布であれば、その繊維間隙間に、前記メカニカルファスナーの雄材６３が有効に係止され得るので、トップ吸収体２０の長手方向の両端部２０ａ，２０ｂの前記雄材６３及び前記係止部材２７の雄材によって、これら両端部２０ａ，２０ｂを包装シート３７に係止固定できて、四つ折りに折り畳む際のトップ吸収体２０の幅方向の位置ずれを有効に抑えることができるからである。ちなみに、この幅方向の位置ずれを抑えた方が良い理由は、使用者が包装を解いた際に、包装シート３７に対してトップ吸収体２０が曲がっていると、見た目の印象が悪くなるからである。
【０１２６】
また、第１乃至第３折り位置Ｐ１，Ｐ２，Ｐ３での折り畳みのなかで、上述の位置ずれを最も生じ易いのは、最初に行われる第１折り位置Ｐ１での折り畳みである。このため、望ましくは、当該第１折り位置Ｐ１を、前記係止部材２７とで長手方向に関して挟む位置にエンボス加工等を施して仮止め部７１を形成し、これによって、トップ吸収体２０の後端部２０ｂを包装シート３７に圧着すると良い。このようにすれば、この第１折り位置Ｐ１は、係止部材２７と仮止め部７１とに挟まれているので、折り畳み時のトップ吸収体２０の位置ずれは有効に抑制される。
【０１２７】
なお、トップ吸収体１０の前端部２０ａにメカニカルファスナー６３，６５ではなく粘着剤を用いた場合には、包装シート３７として、粘着剤が剥離し易い素材のシートを用いるか、または、前記前端部２０ａの粘着剤の塗布領域に対応させて、上記の粘着剤が剥離し易い素材のシートを配置すると良い。なお、この場合も粘着剤の粘着力によって、トップ吸収体２０の前端部２０ａは包装シート３７に仮接合されることになる。
【０１２８】
＝＝＝その他の実施の形態＝＝＝
以上、本発明の実施形態について説明したが、本発明は、かかる実施形態に限定されるものではなく、以下に示すような変形が可能である。
【０１２９】
上述の実施形態では、吸収性物品１を三つ折り又は四つ折りに折り畳む場合を例示したが、何等これに限るものではなく、二つ折りでも良いし、五つ折り以上に折り畳んでも良い。
【０１３０】
上述の実施形態では、ベース吸収体１０における本接合部分１０ｇへのホットメルト系接着剤の塗布パターンとして、図１３に示すように長手方向に沿う直線が幅方向に複数並んでなるパターンを例示したが、塗布パターンは何等これに限るものではない。例えば、長手方向に連続する螺旋曲線が幅方向に複数並んでなるパターンでも良いし、又は、幅方向に沿う直線が長手方向に複数並んでなるパターンでも良いし、更には、幅方向に連続する螺旋曲線が長手方向に複数並んでなるパターンでも良い。
【０１３１】
上述の実施形態では、本接合部分１０の後端縁１０ｒは、図１３に示すように幅方向に平行であり、つまり本接合部分１０ｇの後端の長手方向の位置は幅方向に亘って揃っていたが、何等これに限るものではなく、揃っていなくても良い。例えば、図３２に示すように、本接合部分１０ｇの後端の位置が幅方向に亘って揃っていなくても良い。
【０１３２】
なお、この場合において、「接合部の前記自由端側の端」というのは、前記本接合部分１０ｇの後端縁１０ｒのなかで最後方に位置する後端を指す。よって、「折り位置が、前記接合部の前記自由端側の端に位置していない」というのは、図２９の例では、第３折り位置Ｐ３が、前記本接合部分１０ｇの後端縁１０ｒのなかで最後方に位置する後端１０ｓに重っていないことを言う。つまり、図２９に示すように、第３折り位置Ｐ３が前記後端縁１０ｒと重なっている場合であっても、前記最後方に位置する後端１０ｓと第３折り位置Ｐ３が重なっていない場合には、「折り位置は、前記接合部の前記自由端側の端に位置していない」ということになる。
【０１３３】
上述の実施形態では、図９Ｂに示すように「吸収性物品の本体部」としてのベース吸収体１０が、粉砕パルプ積層体１２ａ等からなる吸収体基材１２を備えている構成を例示したが、何等これに限るものではない。例えば、上述のベース吸収体１０の構成から前記吸収体基材１２を取り外したものを「吸収性物品の本体部」としても良い。
【０１３４】
上述の実施形態では、ベース吸収体１０は防漏壁４６を形成するためのサイドシート４０を備えていたが、サイドシート４０は必須構成ではなく省略しても良い。なお、サイドシート４０を設けない場合には、サイドシート４０に代えて表面シート１４を幅方向の外側へと延出形成し、その外端縁を裏面シート３０の幅方向の外端縁とホットメルト接着剤等により接合しても良い。
【０１３５】
上述の実施形態では、吸収性物品１として生理用ナプキンを示したが、人体から排泄される液体を吸収するものであれば、何等これに限るものではない。
【図面の簡単な説明】
【０１３６】
【図１】展開状態の吸収性物品１の表面側の平面図である。
【図２】図１中のII−II断面図である。
【図３】吸収性物品１の斜視図である。
【図４】使用時の様子を説明するための吸収性物品１の斜視図である。
【図５】同斜視図である。
【図６】同斜視図である。
【図７】ベース吸収体１０の表面側の平面図である。
【図８】同裏面側の平面図である。
【図９】図９Ａ乃至図９Ｃは、それぞれ、図７中のＡ−Ａ断面図、同Ｂ−Ｂ断面図、同Ｃ−Ｃ断面図である。
【図１０】粉砕パルプ積層体１２ａに係る粉砕パルプの坪量分布図である。
【図１１】展開状態のトップ吸収体２０の平面図である。
【図１２】図１２Ａ乃至図１２Ｄは、それぞれ、図１１中のＡ−Ａ断面図、同Ｂ−Ｂ断面図、同Ｃ−Ｃ断面図、同Ｄ−Ｄ断面図、同Ｅ−Ｅ断面図である。
【図１３】接着による本接合の説明図である。
【図１４】粉砕パルプ積層体２２に係る粉砕パルプの坪量分布図である。
【図１５】図１５Ａ乃至図１５Ｄは、吸収性物品１が包装される様子の説明図である。
【図１６】図１６Ａ乃至図１６Ｄは、吸収性物品１が四つ折りに折り畳まれる様子を示す平面図である。
【図１７】図１７Ａ及び図１７Ｂは、吸収性物品１の装着時の問題点を説明するための概略図である。
【図１８】個別包装の折り位置Ｐ１，Ｐ２，Ｐ３を説明するための吸収性物品１の平面図である。
【図１９】図１９Ａ及び図１９Ｂは、第１実施形態の吸収性物品１を三つ折りにした場合の折り位置Ｐ１，Ｐ２の説明図である。
【図２０】膣口対面想定位置Ｚを視覚的に認知させる方法の説明図である。
【図２１】同説明図である。
【図２２】同説明図である。
【図２３】同説明図である。
【図２４】同説明図である。
【図２５】同説明図である。
【図２６】同説明図である。
【図２７Ａ】同説明図である。
【図２７Ｂ】同説明図である。
【図２８Ａ】同説明図である。
【図２８Ｂ】同説明図である。
【図２９】第２実施形態に係る吸収性物品１の斜視図である。
【図３０】同ベース吸収体１０の表面側の平面図である。
【図３１】同トップ吸収体２０の表面側の平面図である。
【図３２】その他の実施の形態の説明図である。
【符号の説明】
【０１３７】
１  吸収性物品、
１０  ベース吸収体（本体部）、１０ａ  前端部、１０ｂ  後端部、
１０ｅ  後端縁、１０ｇ  本接合部分（接合部）、
１０ｒ  後端縁（自由端側の端）、１０ｓ  後端（自由端側の端）、
１０ｋ  接合部分、１２  吸収体基材、
１２ａ  粉砕パルプ積層体（第２の液体吸収部材）、１４  表面シート、
１５  圧縮溝（剛性要素）、１５ａ  低圧縮部、１５ｂ  高圧縮部、１５ｅ  前端、
２０  トップ吸収体（吸収体）、２０ａ  前端部（一端部）、
２０ｂ  後端部（他端部）、２２  粉砕パルプ積層体（液体吸収部材）、
２３  中間シート、２４  保形シート、２４ｃ  部分、２４ｄ  部分、
２４ｅ  端部、２５  前側の封止部、２６  後側の封止部、２６ａ  摘み部、
２７  係止部材、２８  孔、３０  裏面シート、３０ａ  前端部、３０ｂ  後端部、
３０ｃ  裏面、３１  ずれ止め用付着部、３２  ウイング部、
３３  ずれ止め用付着部、３４  保護シート、３５  保護シート、
３６  包装シート、３６ｃ  外端縁、３７  包装シート、３８  リードテープ、
４０  サイドシート、４４  固定部、４６  端部（防漏壁）、４８  弾性部材、
５１  防漏シート、６１  圧縮凹部、６３  メカニカルファスナーの雄材、
６５  メカニカルファスナーの雌材、７１  仮止め部、９０  下着、
ＣＬ  中心線、Ｍ  最低部位、
Ａａ  前側に対応する範囲、Ａｂ  後側に対応する範囲、
Ｚ  膣口対面想定位置（人体排泄口の対面相当位置）、
Ｒａ  前方領域、Ｒｂ  後方領域、Ｒｃ  中央領域、
【図１】
2008246091.tif 000003
【図３】
2008246091.tif 000004
【図４】
2008246091.tif 000005
【図５】
2008246091.tif 000006
【図６】
2008246091.tif 000007
【図８】
2008246091.tif 000008
【図１１】
2008246091.tif 000009
【図１４】
2008246091.tif 000010
【図１５】
2008246091.tif 000011
【図１６】
2008246091.tif 000012
【図２０】
2008246091.tif 000013
【図２１】
2008246091.tif 000014
【図２２】
2008246091.tif 000015
【図２３】
2008246091.tif 000016
【図２４】
2008246091.tif 000017
【図２５】
2008246091.tif 000018
【図２６】
2008246091.tif 000019
【図２７Ａ】
2008246091.tif 000020
【図２７Ｂ】
2008246091.tif 000021
【図２８Ｂ】
2008246091.tif 000022
【図２９】
2008246091.tif 000023
【図３０】
2008246091.tif 000024
【図３１】
2008246091.tif 000025
【図２】
2008246091.tif 000026
【図７】
2008246091.tif 000027
【図９】
2008246091.tif 000028
【図１０】
2008246091.tif 000029
【図１２】
2008246091.tif 000030
【図１３】
2008246091.tif 000031
【図１７】
2008246091.tif 000032
【図１８】
2008246091.tif 000033
【図１９】
2008246091.tif 000034
【図２８Ａ】
2008246091.tif 000035
【図３２】
2008246091.tif 000036